(57)【要約】【課題】輪郭強調等の画像補正において，過度な補正を抑え，かつ，信号対雑音比を減少させて，適度な強調補正が加わった画像を得る。【解決手段】映像信号のエッジ成分を抽出するエッジフィルタ１２と，該抽出したエッジ成分を増幅する増幅器１８と，該増幅されたエッジ成分を元の映像信号に加算する加算器２０と，を備え，映像信号のエッジを強調する映像信号補正装置であって，上記映像信号の特徴量を抽出する特徴量抽出部１４と，上記特徴量に対応した増幅率を導出する増幅率導出部１６と，をさらに備え，上記増幅器は，上記増幅率導出部からの増幅率でエッジ成分を増幅することを特徴とする。【選択図】図１
2007158992.tif 000002
【特許請求の範囲】
【請求項１】
映像信号のエッジ成分を抽出するエッジフィルタと，該抽出したエッジ成分を増幅する増幅器と，該増幅されたエッジ成分を元の映像信号に加算する加算器と，を備え，映像信号のエッジを強調する映像信号補正装置であって：
前記映像信号の特徴量を抽出する特徴量抽出部と；
前記特徴量に対応した増幅率を導出する増幅率導出部と；
をさらに備え，
前記増幅器は，前記増幅率導出部からの増幅率でエッジ成分を増幅することを特徴とする，映像信号補正装置。
【請求項２】
前記特徴量抽出部は，同一フレームの所定領域における映像信号に基づいて，前記特徴量を検出することを特徴とする，請求項１に記載の映像信号補正装置。
【請求項３】
前記特徴量は，同一フレームの前記所定領域を構成する画素間の，輝度の変化の程度を表すことを特徴とする，請求項２に記載の映像信号補正装置。
【請求項４】
前記特徴量は，同一フレームの前記所定領域を構成する画素の，輝度の絶対偏差であることを特徴とする，請求項３に記載の映像信号補正装置。
【請求項５】
前記増幅率導出部は，前記特徴量に基づいて，画素を所定数の区分のいずれかに分類することを特徴とする，請求項１に記載の映像信号補正装置。
【請求項６】
前記増幅率導出部は，前記画素の増幅率を，該画素の属する区分に基づいて導出することを特徴とする，請求項５に記載の映像信号補正装置。
【請求項７】
前記所定数の区分は，前記周辺画素の輝度の起伏が平坦であるとする区分，周辺画素に強調すべき前記エッジ成分があるとする区分，周辺画素に雑音成分が多く含まれるとする区分および周辺画素の輝度差が激しいとする区分の群から選択された１または２以上の区分であることを特徴とする，請求項６に記載の映像信号補正装置。
【請求項８】
前記周辺画素の輝度の起伏が平坦であるとする区分の増幅率は，１であることを特徴とする，請求項７に記載の映像信号補正装置。
【請求項９】
前記周辺画素に強調すべき前記エッジ成分があるとする区分の増幅率は，前記周辺画素の輝度の起伏が平坦であるとする区分の増幅率より高いことを特徴とする，請求項７に記載の映像信号補正装置。
【請求項１０】
前記周辺画素に雑音成分が多く含まれるとする区分の増幅率は，前記周辺画素の輝度の起伏が平坦であるとする区分の増幅率より高く，前記周辺画素に強調すべき前記エッジ成分があるとする区分の増幅率より低いことを特徴とする，請求項７に記載の映像信号補正装置。
【請求項１１】
前記周辺画素の輝度差が激しいとする区分の増幅率は，前記周辺画素の輝度の起伏が平坦であるとする区分の増幅率より高く，前記周辺画素に強調すべき前記エッジ成分があるとする区分の増幅率より低いことを特徴とする，請求項７に記載の映像信号補正装置。
【請求項１２】
前記増幅率導出部は，前記特徴量を正規化した後に，正規化された特徴量に基づいて画素を前記所定数の区分に分類することを特徴とする，請求項５に記載の映像信号補正装置。
【請求項１３】
映像信号のエッジを強調する映像信号補正装置によって映像信号を補正する映像信号補正方法であって：
前記映像信号補正装置が，
映像信号のエッジ成分を抽出するステップと；
前記映像信号の特徴量を抽出するステップと；
前記特徴量に対応した増幅率を導出するステップと；
前記抽出したエッジ成分を前記増幅率で増幅するステップと；
前記増幅されたエッジ成分を元の映像信号に加算するステップと；
を含むことを特徴とする，映像信号補正方法。
【請求項１４】
映像信号のエッジの強調を実現させる映像信号補正プログラムであって：
コンピュータに，
映像信号のエッジ成分を抽出するステップと；
前記映像信号の特徴量を抽出するステップと；
前記特徴量に対応した増幅率を導出するステップと；
前記抽出したエッジ成分を前記増幅率で増幅するステップと；
前記増幅されたエッジ成分を元の映像信号に加算するステップと；
を実行させることを特徴とする，映像信号補正方法プログラム。
【発明の詳細な説明】
【技術分野】
【０００１】
本発明は，映像信号補正装置，方法およびプログラムに関する。
【背景技術】
【０００２】
一般に，映像装置において，ぼやけた画像を鮮明化するために，映像信号補正の一例として輪郭部分を強調する輪郭補正が行われている。例えば輪郭補正は，映像信号の高周波成分（エッジ成分）を抽出し，これを増幅して上記映像信号に付加することにより実現される。すなわち，画像の明暗に変化がある部分には付加的な補正をして，該変化を強調することができる。
【０００３】
一方，一様に輪郭部分を強調すると，もともと明暗がはっきりしているテロップの端部などではリンギングなどが生じ，かえって画質を損なう場合がある。そのため，テロップや字幕などの付加的な情報が重畳される部分（例えば画面下部）では輪郭補正を制限する輪郭補正装置が提案されている（例えば特許文献１）
【特許文献１】特許第３０７８９１８号
【発明の開示】
【発明が解決しようとする課題】
【０００４】
しかし，上述のようなテロップの端部などに限らず，輪郭部分を強調すると上記リンギングなどが生じてしまうほど明暗の変化が急峻であり，輪郭補正が制限されるべき部分は全画面領域内に存在する。また，輪郭補正をするために高周波成分を増幅する際，該高周波成分と共に雑音が増幅され，信号対雑音比が悪化してしまう部分も存在した。
【０００５】
そこで，本発明は，上記問題に鑑みてなされたものであり，本発明の目的とするところは，映像信号の補正をする際，過度な補正を抑え，信号対雑音比を減少させることが可能な，新規かつ改良された映像信号補正装置，方法およびプログラムを提供することにある。
【課題を解決するための手段】
【０００６】
上記課題を解決するために，本発明のある観点によれば，映像信号のエッジ成分を抽出するエッジフィルタと，該抽出したエッジ成分を増幅する増幅器と，該増幅されたエッジ成分を元の映像信号に加算する加算器と，を備え，映像信号のエッジを強調する映像信号補正装置であって：上記映像信号の特徴量を抽出する特徴量抽出部と；上記特徴量に対応した増幅率を導出する増幅率導出部と；をさらに備え，上記増幅器は，上記増幅率導出部からの増幅率でエッジ成分を増幅することを特徴とする，映像信号補正装置が提供される。係る構成により，画像の雰囲気（特徴量）に応じて適度な強調補正が加わった画像を得ることができる。
【０００７】
上記特徴量抽出部は，同一フレームの所定領域における映像信号に基づいて，上記特徴量を検出するとしてもよい。係る構成において，上記特徴量抽出部は，画像特徴を把握するために必要十分な程度に計算量を抑えつつ，上記特徴量を検出することができるよう作用する。
【０００８】
上記特徴量は，同一フレームの上記所定領域を構成する画素間の，輝度の変化の程度を表すとしてもよい。係る構成において，上記特徴量は，上記所定領域内に，例えば輝度の変化が急峻な輪郭部分などが包含されているかを検知するための判断材料として作用する。
【０００９】
上記特徴量は，同一フレームの上記所定領域を構成する画素の，輝度の絶対偏差であるとしてもよい。係る構成において，上記特徴量は，画素間の輝度の変化の程度を定量的に表すことが可能となる。
【００１０】
上記増幅率導出部は，上記特徴量に基づいて，画素を所定数の区分のいずれかに分類するとしてもよい。係る構成により，広範な値をとり得る特徴量ではなく，前記所定数の区分に基づく処理が可能となる。
【００１１】
上記増幅率導出部は，上記画素の増幅率を，該画素の属する区分に基づいて導出するとしてもよい。係る構成により，上記増幅率導出部は，上記区分と増幅率とが１対１に対応したテーブルを参照して，画素の属する区分に応じた適切な増幅率を導出することができる。
【００１２】
上記所定数の区分は，上記周辺画素の輝度の起伏が平坦であるとする区分，周辺画素に強調すべき上記エッジ成分があるとする区分，周辺画素に雑音成分が多く含まれるとする区分および周辺画素の輝度差が激しいとする区分の群から選択された１または２以上の区分であるとしてもよい。
【００１３】
上記周辺画素の輝度の起伏が平坦であるとする区分の増幅率は，１であるとしてもよい。係る構成において，上記増幅率導出部は，画素間の輝度差を強調すると却って本来の特徴が損なわれる平坦な部分においては，画像が有する本来の特徴の同一性を維持するよう作用する。
【００１４】
上記周辺画素に強調すべき上記エッジ成分があるとする区分の増幅率は，上記周辺画素の輝度の起伏が平坦であるとする区分の増幅率より高いとしてもよい。係る構成において，上記増幅率導出部は，一フレームを構成する画像の境界部分を明確化するよう作用する。
【００１５】
上記周辺画素に雑音成分が多く含まれるとする区分の増幅率は，上記周辺画素の輝度の起伏が平坦であるとする区分の増幅率より高く，上記周辺画素に強調すべき上記エッジ成分があるとする区分の増幅率より低いとしてもよい。係る構成において，上記増幅率導出部は，映像信号の高周波成分と共に雑音成分が増幅することを抑制し，映像対雑音比の悪化を防止するよう作用する。
【００１６】
上記周辺画素の輝度差が激しいとする区分の増幅率は，上記周辺画素の輝度の起伏が平坦であるとする区分の増幅率より高く，上記周辺画素に強調すべき上記エッジ成分があるとする区分の増幅率より低いとしてもよい。係る構成において，上記増幅率導出部は，画像内の過度な輝度差およびリンギングの発生を防止する。
【００１７】
上記増幅率導出部は，上記特徴量を正規化した後に，正規化された特徴量に基づいて画素を上記所定数の区分に分類するとしてもよい。係る構成により，上記増幅率導出部は，画一的に画素の分類をすることが可能となる。
【００１８】
また，上記課題を解決するために，本発明の別の観点によれば，映像信号のエッジを強調する映像信号補正装置によって映像信号を補正する映像信号補正方法であって：前記映像信号補正装置が，映像信号のエッジ成分を抽出するステップと；前記映像信号の特徴量を抽出するステップと；前記特徴量に対応した増幅率を導出するステップと；前記抽出したエッジ成分を前記増幅率で増幅するステップと；前記増幅されたエッジ成分を元の映像信号に加算するステップと；を含むことを特徴とする，映像信号補正方法が提供される。係る構成により，上記映像信号補正装置と同様に，上記特徴量に応じて適度な強調補正が加わった画像を得ることができる。
【００１９】
また，上記課題を解決するために，本発明の別の観点によれば，映像信号のエッジの強調を実現させる映像信号補正プログラムであって：コンピュータに，映像信号のエッジ成分を抽出するステップと；前記映像信号の特徴量を抽出するステップと；前記特徴量に対応した増幅率を導出するステップと；前記抽出したエッジ成分を前記増幅率で増幅するステップと；前記増幅されたエッジ成分を元の映像信号に加算するステップと；を実行させることを特徴とする，映像信号補正方法プログラムが提供される。係る構成により，上記映像信号補正装置と同様に，上記特徴量に応じて適度な強調補正が加わった画像を得ることができる。
【発明の効果】
【００２０】
以上説明したように本発明によれば，映像信号の補正をする際，過度な補正を抑え，信号対雑音比を減少させることが可能な，映像信号補正装置，方法およびプログラムを提供することにある。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
図９Ａは，映像信号に含まれる周波数成分の一例を示した説明図である。横軸は周波数を，縦軸は振幅を表している。図９Ａに示されたように，映像信号には低周波成分から高周波成分まで様々な周波数成分から構成され，当該輪郭成分（エッジ成分）は主に高周波成分として含まれている。このような映像信号を単純に伝送または処理した場合，輪郭成分を表す高周波成分が減衰し，画像に含まれる輪郭部分がぼけてしまう場合がある。
【００２３】
図９Ｂは，上記映像信号から意図的に高周波成分を抽出した様子を示す説明図である。横軸は周波数を，縦軸は振幅を表している。上述のように輪郭部分がぼやけてしまう場合，図９Ｂのように映像信号の高周波成分（例えば２Ｍ〜３ＭＨｚ）付近の信号をハイパスフィルタやバンドパスフィルタを用いて抽出し，これを増幅して元の映像信号に加算する。こうして，画像の境界部分が明確化（強調）され，クリアな画像を得ることが可能となる。
【００２４】
図１０は，上述のような画像を補正するために用いられる画像補正回路の構成を示したブロック図である。画像補正回路には，エッジフィルタ６２と，増幅器６８と，加算器７０とが含まれる。
【００２５】
エッジフィルタ６２は，例えばハイパスフィルタを用いてエッジを抽出し，増幅器６８は，エッジフィルタ６２からの出力を増減し，加算器７０がこれを元の信号に加算する。上記の具体的な構成により，確実かつ一貫した輪郭補正が行われていた。
【００２６】
しかし，実際の画像においては一様な補正をしたのでは補正が小さすぎ，または大きすぎ，さらにはリンギングを生じるという場合もあった。ここで，図１０を用いてリンギングについて簡単に説明する。
【００２７】
図１１は，リンギングの発生についての説明図である。図１１（ａ）は，画像の一部であって，中央が暗く，左右が明るい様子を示している。図１１（ｂ）は，上記画像を輝度信号で表したものであり，暗い部分のレベルは低く，明るい部分のレベルは高くなっている。図１１（ｃ）は，輝度の境界部をより明確にするために上記輝度信号に付加されるプレシュート８０と，アンダーシュート８２を表している。図１１（ｄ）は，上記輝度信号にプレシュート８０と，アンダーシュート８２が付加された信号を示している。
【００２８】
このような信号のエッジ成分をさらに増幅しようとすると，上述のように信号がエッジフィルタを介する必要がある。しかし，上記エッジフィルタには遅延特性があり，また信号の伝送途中にひずみなどが生じることがある。すると，上記遅延特性などにより，映像信号補正回路からの出力は図１１（ｅ）に示したように，プレシュート８０と，アンダーシュート８２が波を打ったようになり，これがリンギングと呼ばれている。本発明は，映像の輪郭補正をする際，強調する輪郭成分の大きさを適切に調整し，上述のような問題を解消するものである。
【００２９】
まず，本発明の一実施形態にかかる映像信号補正装置について説明する。
【００３０】
図１は，本実施形態による輪郭補正回路の構成を示したブロック図である。本実施形態による輪郭補正回路は，エッジフィルタ１２，特徴量抽出部１４，増幅率導出部１６，増幅器１８および加算器２０を含む。
【００３１】
エッジフィルタ１２は映像信号の入力を受け，エッジ成分を抽出し，増幅器１８に出力する。エッジフィルタ１２は，上記機能を遂行するために二次微分フィルタで構成してもよい。
【００３２】
図２は，エッジフィルタ１２に用いられる二次微分フィルタの一例を示した説明図である。上記二次微分フィルタについて以下に説明する。
【００３３】
上記二次微分フィルタは，画像内に含まれる全てのエッジ成分をその方向に関わらず抽出する。図２（ａ）のように，３×３画素内の中央の６，各辺中央の−１，各頂点の−０．５の係数から構成されても，図２（ｂ）のように，中央の８，各辺中央および各頂点の−１の係数から構成されてもよい。
【００３４】
上記係数に各画素の輝度値を乗算し，得られた結果の和を算出することりエッジ成分が検出される。例えば，輝度勾配の少ない部分では上記算出結果はほぼ０となり，輝度勾配の多い部分では上記算出結果は大きな絶対値を有する値となる。
【００３５】
上記エッジ検出を全ての画素に対して行うことで，画素間の輝度勾配の正負に関わらず，画像全体から輝度勾配の大きいエッジ成分を抽出することができる。なお，画像の最外周部を構成する画素について上記検出を行おうとしても，上下左右の少なくとも一方向の画素が存在せず，正しくエッジ成分が検出されない。したがって，そのような場合は，上記二次微分フィルタの中央の値を，使用する画素領域における二次微分フィルタの係数の和が０となるよう可変させるとしてもよい。
【００３６】
特徴量抽出部１４は，上記エッジフィルタ１２の処理と並行して画像の特徴を表す特徴量を検出する。上記特徴量は，例えば同一フレームの所定領域に含まれる画素が有する輝度値の絶対偏差としてもよい。
【００３７】
図３は，本実施形態による上記絶対偏差の検出方法の説明図である。正方形１つは一画素を意味し，横が７画素，縦が３画素の長方形領域を示している。
【００３８】
【数１】
2007158992.tif 000003
数式１は，上記絶対偏差を算出するための計算式である。Ｖは絶対偏差，ｎは横方向の画素数，ｎは縦方向の画素数，Ｘｉ，ｊは特定の画素，Ｘａｖｅは上記長方形領域に含まれる画素の輝度の平均値を示している。  
【００３９】
数式１のように，上記長方形領域の中心画素の特徴量を求めるため，７×３画素全ての輝度の平均値と，各画素の差分の絶対値を加算する。したがって，上記特徴量は周辺画素の起伏が多いほど大きくなり，起伏が少ないほど小さくなる。すなわち，上記特徴量は所定領域を構成する画素間の，輝度の変化の程度を表すこととなる。
【００４０】
以上７×３画素の長方形領域を用いて特徴量を検出する例について示した。しかし，上記領域は，画像特徴を把握するために必要十分な程度に計算量を抑えつつ，上記特徴量を検出することができるよう，表示する映像の１フレームの画素数や表示目的に応じて変化させられるとしてもよい。例えば，３×５，５×７，５×３７×５さらには１９×９などの長方形領域や，５×５，７×７さらには２３×２３などの正方形領域であってもよい。
【００４１】
また，着目画素の特徴量を検出するために，該着目画素が中心に位置するような所定領域を例にとって説明したが，これに限られず，任意の位置としてもよい。仮に，上記着目画素を右下の頂点部分に位置するよう所定領域を構成すると，表示画素は左上から右下に流れるため，それまでに読み込んだデータのみから特徴量を検出することができる。
【００４２】
増幅率導出部１６は，上記特徴量に対応した増幅率を導出するために，画素の特徴量に基づいて，画素を所定数，例えば４つの区分のいずれかに分類する。そして，上記画素の増幅率を，上記画素の属する区分に応じて導出する。
【００４３】
上記分類には，特徴量としての上記絶対偏差を用いてもよい。上記絶対偏差は，周辺画素の特徴を定量的に示しているため分類は容易である。具体的には，例えば以下のように分類するとことができる。
【００４４】
図４は，絶対偏差に基づく各画素の分類方法を示した度数分布図である。横軸は各画素の正規化された絶対偏差を，縦軸は度数を表している。
【００４５】
上記正規化とは，データを一定の規則に従って変形し，利用しやすくすることをいうが，例えば具体的には，同一フレームを構成する全画素の絶対偏差のうち最大の絶対偏差を１００とし，かつ画素同士の絶対偏差の比率が維持されるように全画素の絶対偏差を変形することで実現される。上記正規化により，一フレームを構成する正規化された絶対偏差の最大値はすべて１００となり，画一的に処理をすることが可能となる。
【００４６】
上記区分はＬ０，Ｌ１，Ｌ２およびＬ３の４つの区分としてもよい。例えば，１フレームを構成する全画素を正規化された絶対偏差の値の小さい方から大きい方へと順次並べ，Ｌ０には小さい方から０〜５％に含まれる画素を，Ｌ１には５〜４０％に含まれる画素を，Ｌ２には４０〜８５％に含まれる画素を，Ｌ３には８５〜１００％に含まれる画素を分類する区分とすることができる。このようなＬ０〜Ｌ３の区分は，正規化された絶対偏差の度数分布上で，図４のように表される。
【００４７】
上記Ｌ０区分に分類された画素は，絶対偏差がほとんど無いため，周辺画素の輝度の起伏は平坦であると考えられる。したがって，上記増幅率導出部１６は，上記Ｌ０区分に分類された各画素から上記エッジフィルタ１２が抽出したエッジ成分を増幅しないよう，増幅率を導出するとしてもよい。上記増幅しない場合は，上記エッジフィルタ１２が抽出したエッジ成分を，増幅器はそのまま（増幅率＝１で）加算器２０に出力することとなる。ただし，当該エッジ成分は平坦であると判断される画像部分から抽出されたものであるので，ほとんど値を有さない可能性が高い。したがって，加算器２０が元の映像信号に上記エッジ成分を加算しても，画像に与える影響は少なく，画像の雰囲気を維持することができる。
【００４８】
上記Ｌ１区分に分類された画素は，絶対偏差が少ないため，周辺画素に雑音成分が多く含まれていると考えられる。したがって，上記増幅率導出部１６は，上記Ｌ１区分において，上記Ｌ０区分の増幅率より高く，後述するＬ２区分の増幅率より低い増幅率を導出するとしてもよい。係る構成により，雑音成分の増幅を抑制し，信号対雑音比の悪化を防止することができる。
【００４９】
上記Ｌ２区分に分類された画素は，絶対偏差が大きいため，周辺画素に強調すべき上記エッジ成分があると考えられる。したがって，上記増幅率導出部１６は，上記Ｌ２区分において，上記Ｌ０区分の増幅率より高い増幅率を導出するとしてもよい。
【００５０】
上記Ｌ３区分に分類された画素は，絶対偏差がかなり大きいため，周辺画素の輝度差が激しいと考えられる。したがって，上記増幅率導出部１６は，上記Ｌ３区分において，上記Ｌ０区分の増幅率より高く，上記Ｌ２区分の増幅率より低い増幅率を導出するとしてもよい。係る構成により，過度な輝度差の発生およびリンギングを抑制することができる。
【００５１】
上記増幅器１８は，エッジフィルタ１２から画像のエッジ成分が入力され，該エッジ成分を増幅率導出部１６が導出した増幅率で増幅し，加算器２０に増幅されたエッジ成分を出力する。上記増幅は，エッジフィルタ１２としての二次微分フィルタの出力と，増幅率導出部１６が各画素の属する区分に基づいて導出した増幅率（例えば１倍，１．２倍，１．５倍，２倍）を単純に乗算してもよい。
【００５２】
上記加算器２０は，映像信号と，上記増幅器からのエッジ成分との入力を受けて，これらを加算し，補正された映像信号を出力する。こうして，映像信号の高周波成分のみを調整して出力することができる。
【００５３】
図５は，実際の画像の一例を示した説明図である。画像には，被写体として，空３０と，家３２と，草地３４と，人３６と，車３８と，木４０とが含まれる。
【００５４】
上記空３０は，平坦であり，輝度変化および上記絶対偏差はほとんど無いため，Ｌ０に分類される。上記家３２と草地３４は，画質が粗く，輝度変化および上記絶対偏差は少ないためＬ１に分類される。上記人３６および車３８と，空３０との境界部分の輝度変化および上記絶対偏差は大きいためＬ２に分類される。上記木４０と空３０との境界部分の輝度変化および上記絶対偏差はかなり大きいためＬ３に分類される。
【００５５】
図４のような正規化された絶対偏差の分布は一例に過ぎないが，フレームが変わって該分布が異なる形態で導かれても，画素の分類は度数分布に基づくため各区分の画素数は同一であり，フレーム毎に適正な補正をすることができる。すなわち，仮に，絶対偏差が一部突出して大きい画素がフレームに含まれたとすると，上記度数分布が全体的に図面左に偏ってしまうが，それぞれの画素が有する正規化された絶対偏差の値に基づき，上記区分のいずれかに相対的に分類されるので，大部分の画素がＬ０に分類されるということはない。
【００５６】
また，以上所定数の区分を４つの区分とし，区分に応じた増幅度を具体的に示したが，これらは使用する装置の特性や表示する映像によって自動的または人為的に変えるとしてもよい。上記表示する映像としては，地上波，ＨＤ（Ｈｉｇｈ  Ｄｅｆｉｎｉｔｉｏｎ），ＰＣ（Ｐｅｒｓｏｎａｌ  Ｃｏｍｐｕｔｅｒ）映像などがある。例えばＨＤに本実施形態を適用する場合，ＨＤは高精細な映像を再現可能であるため，上記Ｌ１区分を広く設定してしまうとその特性を活かすことができない。逆に，雑音成分が含まれやすい地上波においてはＬ１区分を広く設定してもよい。
【００５７】
上記のような映像信号補正装置では，補正対象となる元の画像を，エッジフィルタ１２や特徴量抽出部１４で画像解析するため，その結果は元の画像より少し遅延して得られる。従って，任意のフレーム画像の増幅率（補正量）は，その次のフレーム画像に適応されることとなる。以下，このような補正対象のずれについて詳述する。
【００５８】
図６は，本実施形態による増幅率導出部が導出した増幅率が適用されるタイミングを示した説明図である。図６（ａ）は，あるフレームの円形の画像であり，図６（ｂ），は図６（ａ）のワンフレーム後の三角形のフレームの画像である。すなわち，図６（ａ）から図６（ｂ）へのシーンの切り替えがあったことを意味している。図６（ｃ）は，図６（ａ）の画像から上記エッジフィルタ１２により抽出されたエッジ成分を示している。
【００５９】
一方，上記増幅率導出部１６は，上記絶対偏差を正規化するためにワンフレーム分のデータを蓄積しなければならず，実際に導出した増幅率を適用するフレームは，上記増幅率を導出するために用いたフレームのワンフレーム後のものとなる。
【００６０】
その様子を表しているのが図６（ｄ）であり，図６（ｄ）は，図６（ｂ）の画像から上記エッジフィルタ１２により抽出された三角形エッジ成分５０と，上記増幅率導出部１６がエッジ成分を増幅するような増幅率を導出した増幅画素領域５２の位置関係を示している。すなわち，上記三角形エッジ成分５０は，円形の画像と三角形の画像とが接する各頂点部分しか強調されないこととなる。
【００６１】
しかし，上記のような弊害が生じるのはシーンの切り替えがあったワンフレームにすぎない。さらにフレームバッファを設けて上記弊害を完全に解消することもできる。すなわち，図１のエッジフィルタ１２および増幅器１８の間，および／または加算器２０の入力側にエッジフィルタ１２と並列してフレームバッファを設けることができる。係る構成により，出力すべき元の画像を一旦フレームバッファに保持し，その元の映像と，上記増幅率導出部１６が導出した増幅率を適用するフレームとを加算器２０で加算することができ，上記のような補正対象がずれてしまう問題を回避することができる。
【００６２】
次に，上述した映像信号補正装置を利用した映像信号補正方法を説明する。
【００６３】
図７は，本実施形態による映像信号正方法の流れを示したフローチャートである。係る映像信号正方法において，映像信号補正装置のエッジフィルタ１２は，まず入力された映像信号に含まれるエッジ成分を抽出する（Ｓ６２）
【００６４】
続いて，映像信号補正装置の特徴量抽出部１４は，入力された映像信号から該映像信号の特徴量を抽出する（Ｓ６４）。そして，増幅率導出部１６は，上記特徴量から，上記エッジ成分の増幅率を導出する（Ｓ６６）。次に，増幅器１８は，上記増幅率を用いて上記エッジ成分を増幅し（Ｓ６８），最後に，加算器２０が該増幅されたエッジ成分を元の映像信号に加算して出力する（Ｓ７０）。なお，上記エッジ成分を検出するステップ（Ｓ６２）は，図７に示した処理の順番に限られず，エッジ成分を増幅するステップ（Ｓ６８）の前であればよい。
【００６５】
また，上述のような映像信号補正方法を映像信号補正装置に行わせるプログラムおよびそのプログラムを記憶した記憶媒体も提供される。
【００６６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００６７】
例えば，上記特徴量は，同一フレームの所定領域に含まれる画素が有する輝度値の絶対偏差に限られず，周波数分布から求めてもよい。図８は，他の本実施形態による特徴量を抽出する方法を示す説明図である。横軸は周波数を，縦軸は度数を表している。
【００６８】
図８の周波数度数分布によると，この映像信号は，低周波成分に加え，高周波成分も多く含まれ，度数分布図上に２つの隆起部を有している。すなわち，高周波成分はエッジ成分を構成するので，輝度勾配が高い信号ということである。したがって，このような隆起部の程度に基づいて特徴量を求めることもできる。同様に，輝度度数分布に基づいて特徴量を求めることができる。
【００６９】
なお，本明細書の映像信号補正方法における各ステップは，必ずしもフローチャートとして記載された順序に沿って時系列に処理する必要はなく，並列的あるいは個別に実行される処理（例えば，並列処理あるいはオブジェクトによる処理）も含むとしても良い。
【産業上の利用可能性】
【００７０】
本発明は，映像信号補正装置，方法およびプログラムに適用可能である。
【図面の簡単な説明】
【００７１】
【図１】本実施形態による輪郭補正回路の構成を示したブロック図である。
【図２】エッジフィルタとして用いられるフィルタの一例を示した説明図である。
【図３】本実施形態による上記絶対偏差の検出方法の説明図である。
【図４】絶対偏差に基づく各画素の分類方法を示した度数分布図である。
【図５】実際の画像の一例を示した説明図である。
【図６】本実施形態による増幅率導出部が導出した増幅率が適用されるタイミングを示した説明図である。
【図７】本実施形態による映像信号補正方法の流れを示したフローチャートである。
【図８】他の本実施形態による特徴量を抽出する方法を示す説明図である。
【図９Ａ】映像信号に含まれる周波数成分の一例を示した説明図である。
【図９Ｂ】映像信号から高周波成分を抽出した様子を示す説明図である。
【図１０】従来の画像を補正するために用いられる画像補正回路の構成を示したブロック図である。
【図１１】リンギングの発生についての説明図である。
【符号の説明】
【００７２】
１２，６２    エッジフィルタ
１４          特徴量抽出部
１６          増幅率導出部
１８，６８    増幅器
２０，７０    加算器
３０          空
３２          家
３４          草地
３６          人
３８          車
４０          木
５０          三角形エッジ成分
５２          増幅画素領域
８０          プレシュート
８２          アンダーシュート
【図１】
2007158992.tif 000004
【図２】
2007158992.tif 000005
【図３】
2007158992.tif 000006
【図４】
2007158992.tif 000007
【図５】
2007158992.tif 000008
【図６】
2007158992.tif 000009
【図７】
2007158992.tif 000010
【図８】
2007158992.tif 000011
【図９Ａ】
2007158992.tif 000012
【図９Ｂ】
2007158992.tif 000013
【図１０】
2007158992.tif 000014
【図１１】
2007158992.tif 000015